(57)【要約】 【課題】対向するサーバーラック群に挟まれた通路上方空間に提供される冷気の逃げを抑制しながら、該通路上方空間における十分な照度を保証することのできるサーバーラック室内システムを提供すること。【解決手段】２列のサーバーラック群１０Ａ，１０Ｂと、これらに挟まれた通路Ｔと、２列のサーバーラック群に跨って通路上方空間Ｔに提供された冷風を遮蔽する遮蔽体６、…と、から少なくとも構成されるサーバーラック室内システム１００であって、遮蔽体６は、少なくとも１列の導光板（６ａ，６ｂ）と、導光板に取り外し自在に装着された少なくとも１列の天井パネル６ｃとから構成されており、かつ、該遮蔽体６はサーバーラック群の上方に吊り下げられてその一部がサーバーラック群の上面に接しており、導光板（６ａ，６ｂ）には光源７Ａ、７Ｂ、７Ｃが配されている。【選択図】図１
2013225167.tif 000002
【特許請求の範囲】
【請求項１】
２列のサーバーラック群と、これらに挟まれた通路と、２列のサーバーラック群に跨って通路上方空間に提供された冷風を遮蔽する遮蔽体と、から少なくとも構成されるサーバーラック室内システムであって、
前記遮蔽体は、少なくとも１列の導光板と、該導光板に取り外し自在に装着された少なくとも１列の天井パネルとから構成されており、かつ、該遮蔽体はサーバーラック群の上方に吊り下げられてその一部がサーバーラック群の上面に接しており、
前記導光板には光源が配されているサーバーラック室内システム。
【請求項２】
前記サーバーラック室内システムはさらに制御部を備え、それぞれのサーバーラックは温度センサを備えており、
前記導光板は、２種以上の色相で発光する光源を有している、もしくは２種以上の光源を有していてそれらが固有の色相で発光するようになっているものであり、
前記制御部には温度閾値が設定されており、該制御部が温度センサからのセンシングデータを受信して該センシングデータと前記温度閾値を比較演算し、比較演算結果に応じた指令信号に固有の色相で前記光源が発光するようになっている請求項１に記載のサーバーラック室内システム。
【請求項３】
対向する２つのサーバーラック群のうち、それぞれのサーバーラック群における個々のサーバーラックごとに固有の前記遮蔽体が割り当てられ、
前記個々のサーバーラックに対応する光源が比較演算結果に応じた指令信号に固有の色相で発光する請求項２に記載のサーバーラック室内システム。
【請求項４】
対向する２つのサーバーラック群のうち、それぞれのサーバーラック群における複数のサーバーラックの纏まりごとに固有の前記遮蔽体が割り当てられ、
前記複数のサーバーラックの纏まりごとに、対応する光源が比較演算結果に応じた指令信号に固有の色相で発光する請求項２に記載のサーバーラック室内システム。
【発明の詳細な説明】
【技術分野】
【０００１】
本発明は、少なくとも２列のサーバーラック群が通路を挟んで配されてなるサーバーラック室内システムに関するものである。
【背景技術】
【０００２】
インターネットやLANなどのネットワーク上で複数のパソコンに多様な機能やサービスを提供したり、データを一元化するサーバーがラックに集積されてサーバーラックを構成し、複数のサーバーラックが隣接するように配設されてサーバーラック群を構成し、２列のサーバーラック群が通路を挟んで配設されて１つのサーバーラック群ユニットを構成し、１以上のサーバーラック群ユニットが室内に構築されてサーバーラック室内システムが構成される。たとえば、室内に１つのサーバーラック群ユニット（２列のサーバーラック群）が配設された形態や、３つのサーバーラック群ユニット（合計６列のサーバーラック群）が配設された形態などがある。
【０００３】
上記通路はたとえば二重床構造となっており、かつ、この二重床を構成する上床には冷気が流通する多数のエア孔が開設されており、空気制御装置から提供された冷気は二重床の間を流通するようになっている。そして、エア孔を介して通路上方空間に提供された冷気は、それぞれのサーバーラック群の通路に臨む前面を介してサーバーラック群を構成する各サーバーラックに提供され、サーバーラックに収納されたサーバーを通過する過程で冷気は熱を奪って昇温して暖気となってサーバーラックの背面から排気される。サーバーラックの背面から排気された暖気は空気制御装置に戻され、ここで再び冷気に戻されるようになっており、このような冷気の循環がサーバーラック室内で繰り返されることにより、各サーバーが所定温度状態に制御されるのが一般的である。
【０００４】
冷気を効果的にサーバーラック群に提供するために、通路を挟んで対向する２列のサーバーラック群には、それらの上面に跨るように遮蔽体を配設し、これで冷気が通路上方空間の上方に逃げるのを抑制するようにしている。
【０００５】
ここで、特許文献１には、２列のサーバーラック群に跨る遮蔽体に関し、遮蔽体が両側のサーバーラック群に着脱可能に取り付けられたシステムが開示されている。
【０００６】
このように通路を挟んで両側のサーバーラック群に遮蔽体を着脱可能に取り付けた構成とすることで、サーバーラック群と遮蔽体がサーバーラック室から完全に分離され、サーバーラック室の構造や形状等に左右されることなくそれらを所望に配設することが可能となる。
【０００７】
しかしながら、特許文献１で開示の遮蔽体は冷気を封じ込める従来の機能を有するのみであることから、サーバーラック室の光源からの照度が遮蔽体によって遮られることになり、このために、サーバーラック群に挟まれた通路において十分な照度が確保できないといった問題がある。この通路は管理者がここを通過し、サーバーの取付けやメンテナンス等の作業をおこなう場所であることから、遮蔽体によって冷気の逃げを抑制しながら、通路における十分な照度を保証する新規なシステムの発案が当該技術分野における急務の課題となっている。
【先行技術文献】
【特許文献】
【０００８】
【特許文献１】特許第３８３５６１５号明細書
【発明の概要】
【発明が解決しようとする課題】
【０００９】
本発明は上記する問題に鑑みてなされたものであり、対向するサーバーラック群に挟まれた通路上方空間に提供される冷気の逃げを抑制しながら、該通路上方空間における十分な照度を保証することのできるサーバーラック室内システムを提供することを目的としている。
【課題を解決するための手段】
【００１０】
前記目的を達成すべく、本発明によるサーバーラック室内システムは、２列のサーバーラック群と、これらに挟まれた通路と、２列のサーバーラック群に跨って通路上方空間に提供された冷風を遮蔽する遮蔽体と、から少なくとも構成されるサーバーラック室内システムであって、前記遮蔽体は、少なくとも１列の導光板と、該導光板に取り外し自在に装着された少なくとも１列の天井パネルとから構成されており、かつ、該遮蔽体はサーバーラック群の上方に吊り下げられてその一部がサーバーラック群の上面に接しており、前記導光板には光源が配されているものである。
【００１１】
本発明のサーバーラック室内システムは、通路を挟んで対向する２列のサーバーラック群の上方に跨る遮蔽体をサーバーラック群に直接固定するのを廃し、サーバーラック室の天井から遮蔽体を吊り下げる、もしくは該天井に吊り下げられたケーブルラック等から吊り下げるように構成し、遮蔽体の下端はサーバーラック群の上面に接するようにして遮蔽性を保証するものである。
【００１２】
このような構成とすることで、サーバーラック群を構成する各サーバーラックの上面に高低差がある場合でも、この高低差を許容しながらサーバーラック群の上面に遮蔽体を配設することができる。なお、この高低差を効果的に吸収するべく、遮蔽体のうち、サーバーラック群の上面に接触する箇所にはゴム材や布材といった可撓性のあるシール材を設けておくのがよい。
【００１３】
さらに、遮蔽体が天井から吊り下げられてサーバーラック群から縁切りされていることから、サーバーラック群の移設や組み換えに際して遮蔽体を一端盛り替えるといった作業を不要とでき、移設作業効率の向上に寄与できる。
【００１４】
また、本発明のサーバーラック室内システムを構成する遮蔽体は幾つかの実施の形態を有している。その一つの実施の形態は、２列のサーバーラック群の側方に位置する２列の導光板と、２列の導光板の間にあって導光板に取り外し自在に装着された天井パネルとから構成された形態である（実施の形態１）。
【００１５】
すなわち、左右のサーバーラック群の側方に伸びる２列の導光板と、この２列の導光板の中央にある１列の天井パネルとから遮蔽体が構成されたものであり、光源は、それぞれの導光板の内部に設けられる形態や、２列の導光板の端にそれぞれ光源が設けられ、この光源によって左右の導光板の全体が発光される形態などがある。ここで、光源は、照度や照明コストの観点等からLED発光素子を適用するのが好ましく、後述するように、多色相発光が可能である点かららもLED発光素子の適用が好ましい。
【００１６】
また、遮蔽体の他の実施の形態としては、上記実施の形態とは逆に、サーバーラック群の側方に伸びる２列の天井パネルと、この２列の天井パネルの中央にある１列の導光板とからなる形態（実施の形態２）や、１列の天井パネルと、この１列の天井パネルの側方にある１列の導光板とからなる形態(実施の形態３)などを挙げることができる。
【００１７】
導光板と天井パネルの取付け構造は、上記実施の形態１，２の場合には、左右の導光板もしくは左右の天井パネルの上に単に天井パネルもしくは導光板が載せられている形態や、これらの形態において天井パネルと導光板の重ね合わせ箇所がボルト止めされている形態、実施の形態１，２，３の場合には、導光板の一端に蝶番構造にて天井パネルの一端が開閉自在に取り付けられている形態など、多様な取付け形態がある。またいずれの形態であれ、導光板に対して天井パネルを容易に係脱、もしくは取り外すことができ、天井パネルや導光板の清掃やメンテナンス、さらには上部のケーブルの増設を容易におこなうことができる。
【００１８】
上記する遮蔽体は、通路を挟んで対向する２つのサーバーラックごとに設けられる形態（サーバーラックの幅を有する遮蔽体がサーバーラック群を構成するサーバーラックの基数だけ隣接するようにして設けられる形態）であってもよいし、たとえばサーバーラック群を構成する２つ、もしくは４つといった複数のサーバーラックの幅を有する遮蔽体が対向する複数のサーバーラックの上方に配設される形態であってもよい。
【００１９】
また、１つの遮蔽体を構成する２つの導光板のそれぞれに対し、１つの光源が配設される形態であってもよいし、２以上の光源が配設される形態であってもよく、所望する照度に応じた基数の光源が設定される。
【００２０】
また、遮蔽体の構造に関してはさらに、天井パネルと導光板からなる全体的にフラットもしくは略フラットな形態のほかにも、導光板もしくは天井パネルの端部に立ち上がり片を設け、したがって断面がコの字状の形態であってもよく、いずれの形態においても、サーバーラック群の上面と接する箇所には可撓性のあるシール材が設けてあるのが好ましい。
【００２１】
なお、上記するように導光板もしくは天井パネルの端部にサーバーラック群の上面と接する立ち上がり片を有する場合に、この立ち上がり片の全体がシート材等の可撓性のある素材から形成される場合は、これが冷気の流れでばたつかないように、長めのシート材を使用してその下端をサーバーラック群の上面に垂れさせておいて双方の摩擦力にてばたつきを防止したり、シート材の途中位置に錘を取り付けておいたり、あるいは、サーバーラック群の上面に２つのアングル材等を固定しておき、シート材の下端を２つのアングル材の間に収容するようにしておくといった適宜のばたつき防止措置を講じることもできる。
【００２２】
また、本発明によるサーバーラック室内システムの好ましい実施の形態は、さらに制御部を備え、それぞれのサーバーラックは温度センサを備えており、前記導光板は、２種以上の色相で発光する光源を有している、もしくは２種以上の光源を有していてそれらが固有の色相で発光するようになっているものであり、前記制御部には温度閾値が設定されており、該制御部が温度センサからのセンシングデータを受信して該センシングデータと前記温度閾値を比較演算し、比較演算結果に応じた指令信号に固有の色相で前記光源が発光するようになっているものである。
【００２３】
サーバーラック群を構成する各サーバーラックのたとえば通路に対向する前面には１つもしくは複数の温度センサが取り付けられており、この温度センサによるセンシングデータは管理室の制御コンピュータに送られてここで各サーバーラックの温度状態が管理される。
【００２４】
サーバーラック群を構成する各サーバーラックは、サーバーの密度の相違や稼働率の相違によって発熱量が相違し、このことによってサーバーラックごとに温度が異なっているのが一般的である。管理室の制御コンピュータにおいて各温度センサからのセンシングデータを受信し、コンピュータの画面上で各サーバーラックの温度状態を管理するものであるが、たとえば、あるサーバーラックが一定の温度閾値以上の温度状態となった段階で、管理者はサーバーラック室に行き、問題のサーバーラックを特定して何等かの措置を講じようとする。
【００２５】
しかしながら、本発明者等によれば、管理者がサーバーラック室に入って問題となっているサーバーラックを特定することは実際には想定する以上に困難なものであることが特定されている。サーバーラック室の規模が大きく、サーバーラック群が多列に及ぶ場合はこの特定困難性がより一層顕著となる。
【００２６】
そこで、本実施の形態のサーバーラック室内システムにおいては、たとえば管理室にある制御コンピュータに内蔵された制御部に温度閾値を設定しておき、各サーバーラックに取り付けられている温度センサからのセンシングデータを制御コンピュータが受信し、温度閾値とセンシングデータの大小を比較する比較演算部を制御部にて実行するように構成しておく。
【００２７】
さらに、導光板もしくは天井パネルに配設された光源には、２種以上の色相で発光する光源、もしくは２種以上の光源を有していてそれらが固有の色相で発光するようになっているものを適用し、指令信号である電圧値もしくは電流値の大きさに応じた色相で光源を発光させるように構成しておく。なお、このように電圧値等の大きさで色相を変化できる光源としてLED発光素子を適用するのが望ましい。
【００２８】
たとえば、１つのLED発光素子からなる光源が、電圧値に応じて赤、黄、青の３色の色相で発光する形態や、３つのLED発光素子からなる光源がそれぞれ固有の電圧値によって赤、黄、青のいずれか一種の色相で発光する形態を挙げることができる。
【００２９】
このように３つの色相で発光させる場合は、制御部に格納される温度閾値を第１閾値と第２閾値（＞第１閾値）の２つ設定しておき、第１閾値よりも低い温度の場合は青色で光源を発光させてサーバーラックの温度状態が問題ない状態であるとし、第１閾値以上で第２閾値未満の温度の場合は黄色で発光させてサーバーラックの状態が要確認状態であるものとし、第２閾値以上の場合は赤色で発光させてサーバーラックの温度が高すぎることを警告し、当該サーバーラックに対して何等かのクーリング処置を講じるものとする。たとえば、二重床の床パネルのエア孔の目詰まりを解消するといった処置や、ファンを増設して問題となるサーバーラックにのみ多量の冷気を提供するといった処置が挙げられる。
【００３０】
このように、各サーバーラックに対応する箇所にある導光板がその温度状態を反映した色相で光っていることにより、サーバーラック室に入った管理者は問題となるサーバーラックを容易に特定することができる。たとえば、管理者が通路の上方を見て、たとえば赤色に光っている導光板に対応するサーバーラックを、特定したいサーバーラックであると判断するといった具合である。
【００３１】
なお、対向する２つのサーバーラック群のうち、それぞれのサーバーラック群における複数のサーバーラックの纏まりごとに固有の前記遮蔽体が割り当てられていてもよく、この場合には、前記複数のサーバーラックの纏まりごとに、対応する光源が比較演算結果に応じた指令信号に固有の色相で発光するように構成されていてもよい。
【００３２】
サーバーの密度や稼働率が同程度のサーバーラックが集まるようにしてサーバーラック群が構成されている場合には、個々のサーバーラックで管理するまでもなく、２つ、もしくは３つのサーバーラックごとの纏まりとして同程度の温度状態になるものと判断することができ、したがって、このような場合には、これら複数のサーバーラックの纏まりを一つの管理ユニットとして構成要素の全てのサーバーラックに対応する光源を同一の色相で発光させるようにしたものである。
【００３３】
なお、この形態においては、全てのサーバーラックに温度センサを取り付けておく代わりに、纏まりのある複数のサーバーラック中で代表となるサーバーラック（たとえば中央に位置するサーバーラック）にのみ温度センサを設けておき、このサーバーラックの温度管理のみをおこなう形態であってもよい。たとえば、１列のサーバーラック群が１２基のサーバーラックから構成され、４基のサーバーラックで一つの纏まりを有する場合には、それぞれの纏まりを代表する３基のサーバーラックの温度管理をおこなうものである。
【発明の効果】
【００３４】
以上の説明から理解できるように、本発明のサーバーラック室内システムによれば、通路を挟んで対向する２列のサーバーラック群に跨るように配設された遮蔽体が、少なくとも１列の導光板と、該導光板に取り外し自在に装着された少なくとも１列の天井パネルとから構成されており、さらには導光板に光源が配されていることにより、通路上方空間に提供された冷気の逃げを抑制しながら、通路における十分な照度を保証することができる。
【図面の簡単な説明】
【００３５】
【図１】本発明のサーバーラック室内システムの実施の形態１を示す模式図である。
【図２】遮蔽体の実施の形態１を拡大した図である。
【図３】遮蔽体の実施の形態２を示す図である。
【図４】（ａ）、（ｂ）、（ｃ）の順で、遮蔽体の実施の形態３，４，５を示す図である。
【図５】（ａ）、（ｂ）の順で、遮蔽体の実施の形態６，７を示す図である。
【図６】サーバーラック室内システムの実施の形態２を示す模式図である。
【発明を実施するための形態】
【００３６】
以下、図面を参照して本発明のサーバーラック室内システムの実施の形態を説明する。なお、図示例は、室内に２列のサーバーラック群が配設されてなるサーバーラック室内システムを示しているが、図示する２列のサーバーラック群を１ユニットとして、これを複数ユニット備えたサーバーラック室内システムであってもよいことは勿論のことである。すなわち、図示例の基本構成（２列のサーバーラック群と１台の空気制御装置）を複数備えたシステムも本発明に包含されるものであり、また、たとえば図示例の対向するサーバーラック群を基本構成の１ユニットとしてこれを複数ユニット備え、空気制御装置のみを１台備えたシステムであってもよい。また、図示例は８つのサーバーラックからサーバーラック群が構成されるものであるが、サーバーラック群を構成するサーバーラックの基数は図示例に何等限定されるものではない。さらに、図示例の遮蔽体は、２列のサーバーラック群の側方に位置する２列の導光板と、２列の導光板の間にあって導光板に取り外し自在に装着された天井パネルとから構成された形態であるが、それ以外の形態、たとえば、サーバーラック群の側方に伸びる２列の天井パネルと、この２列の天井パネルの中央にある１列の導光板とからなる形態や、１列の天井パネルと、この１列の天井パネルの側方にある１列の導光板とからなる形態などであってもよい。
【００３７】
（サーバーラック室内システムの実施の形態１）
図１は、本発明のサーバーラック室内システムの実施の形態１を示す模式図であり、図２は、遮蔽体を拡大した図（遮蔽体の実施の形態１を示す）である。図示するサーバーラック室内システム１００は、８つのサーバーラック１Ａ，…から構成される左側のサーバーラック群１０Ａ、同様に８つのサーバーラック１Ｂ，…から構成される右側のサーバーラック群１０Ｂと、これらサーバーラック群１０Ａ，１０Ｂを支持する二重床２と、２列のサーバーラック群１０Ａ、１０Ｂそれぞれの上面に跨るように配設される遮蔽体６と、空気制御装置３と、別室となる管理室にある制御コンピュータ８と、二重床２と２列のサーバーラック群１０Ａ，１０Ｂと遮蔽体６に挟まれる空間に形成される通路Ｔと、から大略構成されている。
【００３８】
より具体的には、遮蔽体６はケーブル５を介して不図示のサーバーラック室の天井、もしくは天井から吊り下げられている不図示のケーブルラックから吊り下げられており、したがって、遮蔽体６を吊り下げるケーブル５もサーバーラック室内システム１００の構成要素である。
【００３９】
さらに、各サーバーラック１Ａ，１Ｂには、その前面１Ａａ，１Ｂａに温度センサ４が取り付けられており、この温度センサ４によって計測されたセンシングデータが別室の管理室内にある制御コンピュータ８に送信されるようになっていて、この制御コンピュータ８もサーバーラック室内システム１００の構成要素である。
【００４０】
図示するように、対向する左右のサーバーラック１Ａ，１Ｂに対して１つの遮蔽体６がそれらの上方に配設されており、したがって、左右のサーバーラック１Ａ，１Ｂと同じ８基の遮蔽体６が隣接するようにして通路上方空間を形成している。
【００４１】
二重床２は、多数のエア孔２ａ１が開設された上床２ａと下床２ｂ、上床２ａと下床２ｂの間に隙間を形成する複数のセパレータから構成されている。
【００４２】
サーバーラック室内システム１００内における冷気の流れを概説すると、空気制御装置３から二重床２の隙間に提供された冷気は、通路Ｔの下を流れ（図１のＸ１方向）、その過程で上床２ａのエア孔２ａ１を介して上方の通路上方空間に提供され（Ｘ２方向）、各サーバーラック１Ａ，１Ｂの前面１Ａａ，１Ｂａを介してサーバーラック内に提供される。各サーバーラック１Ａ，１Ｂに提供された冷気は、サーバーラックの内部を通過する過程でサーバーから熱を吸収して暖気にされ、背面１Ａｂ，１Ｂｂを介して外部に排気された暖気は空気制御装置３に戻され（Ｘ４方向）、ここで再び冷気に戻されて二重床２に流されるという冷気の循環を繰り返すものである。
【００４３】
図２で示す遮蔽体６（遮蔽体の実施の形態１）は、左右のサーバーラック１Ａ，１Ｂの側方に位置する導光板６ａ，６ｂと、導光板６ａ，６ｂの上方端部に載置された天井パネル６ｃとから構成されている。
【００４４】
このように、天井パネル６ｃが導光板６ａ，６ｂに単に載置された構成であることから、導光板６ａ，６ｂや天井パネル６ｃの取替えやメンテナンスの際には、通路上方空間側から作業員が天井パネル６ｃを上へ持ち上げてこれを取り外すことにより、天井パネル６ｃや導光板６ａ，６ｂのメンテナンスを容易におこなうことできる。
【００４５】
一方、左右の導光板６ａ，６ｂはともに、ケーブル５，５で室の天井等に吊り下げられている。また、導光板６ａ，６ｂはそれぞれ、サーバーラック１Ａ，１Ｂの上面にその下端が接する立ち上がり片６ａ１、６ｂ１を有しており、これらの導光板６ａ，６ｂが吊り下げられていることによって、これら立ち上がり片６ａ１、６ｂ１は、サーバーラック１Ａ，１Ｂの上面に固定されず、縁切りされた態様でサーバーラック１Ａ，１Ｂとの間で遮蔽構造を形成することができる。このことにより、左右のサーバーラック１Ａ，１Ｂに高低差が存在する場合でも、遮蔽体６を左右のいずれか一方に傾斜等させることなくサーバーラック１Ａ，１Ｂの上面に跨るように配設することができる。
【００４６】
また、図２で示すように、左右の導光板６ａ，６ｂの端にはそれぞれ、赤く発光するLED発光素子からなる光源７Ａ、黄色く発光するLED発光素子からなる光源７Ｂ、青く発光するLED発光素子からなる光源７Ｃがそれぞれ取り付けられている。
【００４７】
これら色相の異なる光源７Ａ，７Ｂ，７Ｃは、制御コンピュータ８からの指令信号に基づく電圧値に応じて、どの光源が発行するかが選択されるようになっている。
【００４８】
たとえば、３段階の電圧値のうち、最も高い電圧値が印加された際には赤く発光する光源７Ａが選択され、最も低い電圧値が印加された際には青く発光する光源７Ｃが選択されるといった具合に３種の電圧値とそれぞれの電圧値に固有の光源が設定される。
【００４９】
なお、図３には、遮蔽体６の実施の形態２を示している。同図で示す遮蔽体６Ａは、左右の導光板６ａ，６ｂの端にそれぞれ１つのLED発光素子からなる光源７Ｄ，７Ｄを有するものであるが、この光源７Ｄは、印加される電圧値に応じて３色の色相で発光するLED発光素子からなるものである。
【００５０】
このように、遮蔽体６、６Ａがその左右に導光板６ａ，６ｂを有し、各導光板６ａ，６ｂを介して固有の光源における光を通路Ｔに提供することにより、遮蔽体６，６Ａにて冷気の逃げを抑制しながら、通路上方空間Ｔにおける十分な照度を保証することが可能となる。
【００５１】
ここで、制御コンピュータ８の構成を概説すると、この内部には、各サーバーラック１Ａ，１Ｂの温度センサ４，４から送信された温度のセンシングデータを受信する受信部、温度の閾値として、サーバーラックが温度上問題ないか否かの閾値となる第１の閾値データ、温度が高すぎるために何等かの対策を講じる必要があることを示す閾値となる第２の閾値データをそれぞれ格納する格納部、センシングデータと第１の閾値データ、第２の閾値データを比較演算する比較演算部が内蔵されている。さらに、センシングデータが第１の閾値データ未満の場合には固有の指令信号を送信して第１の電圧値（最も低い電圧値）を印加して青色の光源を発光させ、センシングデータが第１の閾値データと第２の閾値データの間にある場合には固有の指令信号を送信して第２の電圧値を印加して黄色の光源を発光させ、センシングデータが第２の閾値データ以上の場合には固有の指令信号を送信して第３の電圧値を印加して赤色の光源を発光させる指令信号送信部、これら各部の制御を司るCPUやROM、RAMなどが内蔵されており、これらがバスにて繋がれた内部構造を有している。
【００５２】
このように、各サーバーラック１Ａ，１Ｂに対応する箇所にある導光板６ａ，６ｂがその温度状態を反映した色相で光っていることにより、サーバーラック室の通路上方空間Ｔに入った管理者は問題となるサーバーラックを容易に特定することができる。たとえば、管理者が通路Ｔの上方を見て、たとえば赤色に光っている導光板に対応するサーバーラックを特定したいサーバーラックであると容易に判断することができ、対象となるサーバーラックに対応する二重床の床パネルのエア孔の目詰まりを解消するといった処置や、ファンを増設して問題となるサーバーラックにのみ多量の冷気を提供するといった処置などを迅速におこなうことができ、温度管理やトラブルシューティングに役立つものとなる。
【００５３】
図４ａ、ｂ、ｃ、図５ａ，ｂはいずれも、遮蔽体の他の実施の形態（それぞれ実施の形態３，４，５，６，７）を示す図である。
【００５４】
図４ａで示す遮蔽体６Ｂ（遮蔽体の実施の形態３を示す）は、導光板６ａ，６ｂの端部からシート材６ａ２、６ｂ２が垂れ下がり、その一部がサーバーラック１Ａ，１Ｂの上面にラップするように垂らされたものである。シート材６ａ２、６ｂ２がサーバーラック１Ａ，１Ｂの上面にラップするように垂らされていることで、通路上方空間側から冷気の流体圧が作用した場合でもシート材６ａ２、６ｂ２のばたつきが抑制される。
【００５５】
図４ｂで示す遮蔽体６Ｃ（遮蔽体の実施の形態４を示す）は、導光板６ａ，６ｂの端部からシート材６ａ３、６ｂ３が垂れ下がり、それらの途中位置に錘６ａ３’、６ｂ３’が取付けられたものである。シート材６ａ３、６ｂ３が錘６ａ３’、６ｂ３’を有していることで、通路上方空間側から冷気の流体圧が作用した場合でもシート材６ａ３、６ｂ３のばたつきが抑制される。
【００５６】
図４ｃで示す遮蔽体６Ｄ（遮蔽体の実施の形態５を示す）は、サーバーラック１Ａ，１Ｂの上面にそれぞれ２つで１組のアングル材６ａ４’、６ａ４’、６ｂ４’、６ｂ４’を取り付けておき、導光板６ａ，６ｂの端部から垂れ下がるシート材６ａ４、６ｂ４の下端をアングル材６ａ４’、６ａ４’、６ｂ４’、６ｂ４’の間の空間に収容したものである。シート材６ａ４、６ｂ４の下端がアングル材６ａ４’、６ａ４’、６ｂ４’、６ｂ４’の間の空間に収容されていることで、通路上方空間側から冷気の流体圧が作用した場合でもシート材６ａ４、６ｂ４のばたつきが抑制される。
【００５７】
一方、図５ａで示す遮蔽体６Ｅ（遮蔽体の実施の形態６を示す）は、導光板６ａ，６ｂと天井パネル６ｃのラップ箇所をボルト９ａで固定したものである。
【００５８】
また、図５ｂで示す遮蔽体６Ｆ（遮蔽体の実施の形態７を示す）は、導光板６ｂと天井パネル６ｃを蝶番構造９ｂで回動自在に繋いだものである。
【００５９】
このように、本発明のサーバーラック室内システムは多様な形態の遮蔽体を適用することができるが、いずれの形態の遮蔽体であっても、導光板と固有の光源を有するものであり、かつ室の天井等からケーブルを介して吊り下げられているものであり、冷気の逃げを抑制しながら十分な照度を通路上方空間に提供できるとともに、遮蔽体のメンテナンス効率を高め、サーバーラックに高低差が存在する場合でもその設置を可能とするものである。
【００６０】
（サーバーラック室内システムの実施の形態２）
図６は、サーバーラック室内システムの他の実施の形態を示した模式図である。同図で示すサーバーラック室内システム１００Ａは、１基の遮蔽体６Ｇ（遮蔽体の実施の形態８を示す）が左右それぞれ４基のサーバーラック１Ａ，…、１Ｂ、…に跨るように配設されたものである。
【００６１】
すなわち、この遮蔽体６Ｇは、４基のサーバーラックの合計幅を有する導光板６ａ’,６ｂ’と天井パネル６ｃ’を有している。
【００６２】
このように複数のサーバーラックに跨る寸法の遮蔽体を使用することでその設置効率が高くなる。
【００６３】
また、遮蔽体６Ｇによれば、たとえばサーバーラック群１０Ａを構成する各サーバーラック１Ａ，…に高低差がある場合（サーバーラック群１０Ｂも同様）でも、この高低差を許容しながらサーバーラック群１０Ａの上面に遮蔽体６Ｇを設置することができる。
【００６４】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６５】
１Ａ、１Ｂ…サーバーラック、１Ａａ、１Ｂａ…前面、１Ａｂ、１Ｂｂ…背面、２…二重床、２ａ…上床、２ａ１…エア孔、２ｂ…下床、３…空気制御装置、４…温度センサ、５…ケーブル、６，６Ａ，６Ｂ，６Ｃ，６Ｄ，６Ｅ，６Ｆ，６Ｇ…遮蔽体、６ａ，６ａ’、６ｂ、６ｂ’…導光板、６ａ１，６ｂ１…立ち上がり片、６ｃ、６ｃ’…天井パネル、７Ａ，７Ｂ，７Ｃ，７Ｄ…ＬＥＤ発光素子、８…制御コンピュータ、１０Ａ，１０Ｂ…サーバーラック群、１００，１００Ａ…サーバーラック室内システム、Ｔ…通路（通路上方空間）
【図１】
2013225167.tif 000003
【図２】
2013225167.tif 000004
【図３】
2013225167.tif 000005
【図４】
2013225167.tif 000006
【図５】
2013225167.tif 000007
【図６】
2013225167.tif 000008
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
２列のサーバーラック群と、これらに挟まれた通路と、２列のサーバーラック群に跨って通路上方空間に提供された冷風を遮蔽する遮蔽体と、から少なくとも構成されるサーバーラック室内システムであって、
前記遮蔽体は、少なくとも１列の導光板と、該導光板に取り外し自在に装着された少なくとも１列の天井パネルとから構成されており、かつ、該遮蔽体はサーバーラック群の上方に吊り下げられてその一部がサーバーラック群の上面に接しており、
前記導光板には光源が配されており、
サーバーラック室内システムはさらに制御部を備え、少なくとも１つのサーバーラックは温度センサを備えており、
前記導光板は、２種以上の色相で発光する光源を有している、もしくは２種以上の光源を有していてそれらが固有の色相で発光するようになっているものであり、
前記制御部には温度閾値が設定されており、該制御部が温度センサからのセンシングデータを受信して該センシングデータと前記温度閾値を比較演算し、比較演算結果に応じた指令信号に固有の色相で前記光源が発光するようになっており、
対向する２つのサーバーラック群のうち、それぞれのサーバーラック群における複数のサーバーラックの纏まりごとに固有の前記遮蔽体が割り当てられ、かつ、該纏まりを構成する該複数のサーバーラック中で代表となるサーバーラックにのみ温度センサが割り当てられており、
前記複数のサーバーラックの纏まりごとに、対応する光源が比較演算結果に応じた指令信号に固有の色相で発光するサーバーラック室内システム。